(57)【特許請求の範囲】
【請求項１】
導光板と、チップ状ＬＥＤからなる光源とを具備しており、かつ、
上記導光板は、
互いに直交するｘ，ｙ方向にそれぞれ延びて繋がった第１および第２の側面と、
上記第２の側面に対してｘ方向に間隔を隔てた第３の側面と、
上記第１の側面における上記第２の側面側の端部に設けられ、かつ上記光源と対面する光入射面部と、
上記第２の側面に設けられ、かつ上記光入射面部から上記導光板内に進入してきた光を上記第３の側面に向けて反射可能にｙ方向に対して傾斜した壁面を形成する複数の凹部と、
上記導光板内において上記第２の側面から上記第３の側面に向けて進行する光を外部に出射させるための光出射面と、
を有している、照明装置であって、
上記複数の凹部は、上記光源からの距離が遠いものほどその深さが深くなっており、
上記光入射面部は、上記第２の側面に対して鋭角をなすように傾斜しており、かつ、
上記光源は、その発光面が上記光入射面部と平行または略平行に対面していることを特徴とする、照明装置。
【請求項２】
導光板と、チップ状ＬＥＤからなる光源とを具備しており、かつ、
上記導光板は、
互いに直交するｘ，ｙ方向にそれぞれ延びて繋がった第１および第２の側面と、
この第２の側面に対してｘ方向に間隔を隔てた第３の側面と、
上記第１の側面における上記第２の側面側の端部に設けられ、かつ上記光源と対面する光入射面部と、
上記第２の側面に設けられ、かつ上記光入射面部から上記導光板内に進入してきた光を上記第３の側面に向けて反射可能にｙ方向に対して傾斜した壁面を形成する複数の凹部と、
上記導光板内において上記第２の側面から上記第３の側面に向けて進行する光を外部に出射させるための光出射面と、
を有している、照明装置であって、
上記複数の凹部のそれぞれの壁面は、上記光源からの距離が遠いほどｙ方向に対する鋭角の傾斜角が大きくなっており、
上記光入射面部は、上記第２の側面に対して鋭角をなすように傾斜しており、かつ、
上記光源は、その発光面が上記光入射面部と平行または略平行に対面していることを特徴とする、照明装置。
【請求項３】
上記複数の凹部は、上記光源からの距離が遠いものほどその深さが深くなっている、請求項２に記載の照明装置。
【請求項４】
上記導光板の第１の側面としては、上記第２の側面の長手方向両端に繋がり、かつ上記光入射面部が個々に形成された一対の第１の側面を具備しているとともに、上記光源としては、上記各光入射面部に対向する一対の光源を具備している、請求項１ないし３のいずれかに記載の照明装置。
【請求項５】
液晶パネルと、この液晶パネルを照明するための照明装置と、を備えた液晶表示装置であって、
上記照明装置として、請求項１ないし４のいずれかに記載の照明装置が用いられていることを特徴とする、液晶表示装置。
【発明の詳細な説明】
【０００１】
【発明の属する技術分野】
本願発明は、液晶パネルを照明するなどの所望の面状領域を照明するのに好適な照明装置、およびこの照明装置を備えた液晶表示装置に関する。
【０００２】
【従来の技術】
従来の液晶表示装置の一例を図６（ａ），（ｂ）に示す。図示された液晶表示装置は、フロントライト方式の反射型液晶表示装置である。この液晶表示装置は、背面部に反射板８０を備えた液晶パネル８と、この液晶パネル８の正面に配された導光板９と、光源７とを有している。導光板９は、略矩形の平板状であり、透明な合成樹脂製である。この導光板９の側面９０ｃには、光源７に対向する光入射面部９２が設けられている。導光板９の側面９０ｄには、Ｖ字状をなす一対ずつの壁面９３ａを形成する複数の凹部９３が設けられている。導光板９の裏面９０ｂは、光出射面としての役割を果たす部分であり、平面状である。これに対し、導光板９の表面９０ａは、複数の凸部９１を有する凹凸面とされている。各凸部９１は、傾斜の向きが相違する２種類の傾斜面９１ａ，９１ｂを有している。
【０００３】
上記構成の液晶表示装置においては、光源７から発せられた光は、光入射面部９２から導光板９内に進入し、側面９０ｄに向けて進行する。これらの光のうち、各凹部９３の壁面９３ａに到達した光は、導光板９の側面９０ｅに向けて進行するように反射される。この光の進行過程において、凸部９１の傾斜面９１ａに到達した光は、その進行方向が急激に変えられるように反射され、導光板９の裏面９０ｂに入射する。裏面９０ｂに対する光の入射角が所定の全反射臨界角よりも小さいと、この光はそのまま導光板９の外部に出射する。このことにより、液晶パネル８が照明される。
【０００４】
【発明が解決しようとする課題】
しかしながら、上記従来のものにおいては、導光板９の複数の凹部９３のそれぞれの形状およびサイズは、全て同一に揃えられており、次のような不具合を生じていた。
【０００５】
すなわち、光源７から発せられた光は、各凹部９３の壁面９３ａに対してその斜め横方向から進行していくため、光源７から遠く離れている壁面９３ａは、光源７に近い壁面９３ａの陰になり、光源７から遠く離れた壁面９３ａほど、光源７から受ける光の量が少なくなる。したがって、複数の壁面９３ａのそれぞれから側面９０ｅに向けて反射される光の量に大きな差が生じることとなり、導光板９の裏面９０ｂの各所からの出射光量に大きなバラツキを生じる。その結果、液晶パネル８の画面に照度ムラが発生していた。この照度ムラは、液晶パネル８によって表示される画像の質を悪化させる。
【０００６】
また、光源７から複数の凹部９３に光が進行する場合、光源７に近い部分と遠い部分とでは、各凹部９３に対する光の進行角度が相違する。このため、複数の壁面９３ａのそれぞれによって反射される光は、互いに非平行な光となり、その進行方向に大きなバラツキが生じていた。その結果、従来においては、このようなことにも起因して、裏面９０ｂの各所から光を均一に出射させることが難しくなっていた。
【０００７】
本願発明は、このような事情のもとで考え出されたものであって、光の照射対象領域の照度を従来よりも均一にすることが可能な照明装置を提供することをその課題としている。また、本願発明は、画面の照度を均一にすることが可能な液晶表示装置を提供することを他の課題としている。
【０００８】
【発明の開示】
上記の課題を解決するため、本願発明では、次の技術的手段を講じている。
【０００９】
本願発明の第１の側面により提供される照明装置は、導光板と、チップ状ＬＥＤからなる光源とを具備しており、かつ、上記導光板は、互いに直交するｘ，ｙ方向にそれぞれ延びて繋がった第１および第２の側面と、上記第２の側面に対してｘ方向に間隔を隔てた第３の側面と、上記第１の側面における上記第２の側面側の端部に設けられ、かつ上記光源と対面する光入射面部と、上記第２の側面に設けられ、かつ上記光入射面部から上記導光板内に進入してきた光を上記第３の側面に向けて反射可能にｙ方向に対して傾斜した壁面を形成する複数の凹部と、上記導光板内において上記第２の側面から上記第３の側面に向けて進行する光を外部に出射させるための光出射面と、を有している、照明装置であって、上記複数の凹部は、上記光源からの距離が遠いものほどその深さが深くなっており、上記光入射面部は、上記第２の側面に対して鋭角をなすように傾斜しており、かつ、上記光源は、その発光面が上記光入射面部と平行または略平行に対面していることを特徴としている。
【００１０】
このような構成によれば、上記光源からの距離が遠い凹部であっても、上記光源からの光を適切に受けさせることが可能となり、上記複数の凹部のそれぞれの壁面の受光量に大きな差を生じないようにすることができる。したがって、上記各壁面から上記導光板の第３の側面に向けて進行する光の量に大きなバラツキを生じないようにして、上記導光板の光出射面の各所における光の出射量の均一化を図り、光の照射対象領域の照度の均一化を達成することができる。また、上記光源から発せられた光が上記光入射面部に入射するときの入射角が小さくなり、上記光の多くが上記光入射面部によって反射されないようにすることができる。したがって、上記導光板内に進行する光の量を多くして、照明効率を高めることができる。さらに、光源から発せられる光束密度が最大となる領域の光を、上記導光板の上記各凹部に向けて適切に進行させることが可能となる。したがって、照明効率を高めるのに一層好適となる。
【００１１】
本願発明の第２の側面により提供される照明装置は、導光板と、チップ状ＬＥＤからなる光源とを具備しており、かつ、上記導光板は、互いに直交するｘ，ｙ方向にそれぞれ延びて繋がった第１および第２の側面と、この第２の側面に対してｘ方向に間隔を隔てた第３の側面と、上記第１の側面における上記第２の側面側の端部に設けられ、かつ上記光源と対面する光入射面部と、上記第２の側面に設けられ、かつ上記光入射面部から上記導光板内に進入してきた光を上記第３の側面に向けて反射可能にｙ方向に対して傾斜した壁面を形成する複数の凹部と、上記導光板内において上記第２の側面から上記第３の側面に向けて進行する光を外部に出射させるための光出射面と、を有している、照明装置であって、上記複数の凹部のそれぞれの壁面は、上記光源からの距離が遠いほどｙ方向に対する鋭角の傾斜角が大きくなっており、上記光入射面部は、上記第２の側面に対して鋭角をなすように傾斜しており、かつ、上記光源は、その発光面が上記光入射面部と平行または略平行に対面していることを特徴としている。
【００１２】
このような構成によれば、上記複数の凹部のそれぞれの壁面によって反射される光の進行方向が大きく相違しないようにすることができる。したがって、上記導光板の光出射面の各所における光の出射量の均一化を図り、光の照射対象領域の照度の均一化を達成することができる。また、上記第１の側面に係る照明装置と同様、上記光源から発せられた光が上記光入射面部に入射するときの入射角が小さくなり、上記光の多くが上記光入射面部によって反射されないようにすることができることから、上記導光板内に進行する光の量を多くして、照明効率を高めることができる。さらに、光源から発せられる光束密度が最大となる領域の光を、上記導光板の上記各凹部に向けて適切に進行させることが可能となる。したがって、照明効率を高めるのに一層好適となる。
【００１３】
本願発明の好ましい実施の形態においては、本願発明の第２の側面により提供される照明装置において、上記複数の凹部は、上記光源からの距離が遠いものほどその深さが深くなっている。
【００１４】
このような構成によれば、本願発明の第１の側面により提供される照明装置と第２の側面により提供される照明装置とを組み合わせたのに相当する構成となり、光の照射対象領域の照度の均一化を図るのにより好適となる。
【００１９】
本願発明の他の好ましい実施の形態においては、上記導光板の第１の側面としては、上記第２の側面の長手方向両端に繋がり、かつ上記光入射面部が個々に形成された一対の第１の側面が具備されているとともに、上記光源としては、上記各光入射面部に対向する一対の光源が具備されている。
【００２０】
このような構成によれば、光源を１つのみ用いる場合よりも上記導光板内に進入する光の量を多くすることができるために、照度を高めるのに好適となる。
【００２１】
本願発明の第３の側面によって提供される液晶表示装置は、液晶パネルと、この液晶パネルを照明するための照明装置と、を備えた液晶表示装置であって、上記照明装置として、本願発明の第１の側面または第２の側面により提供される照明装置が用いられていることを特徴としている。
【００２２】
このような構成によれば、本願発明によって提供される照明装置について述べたのと同様な効果が得られることとなり、液晶パネルの画面の照度むらを無くし、または少なくし、表示画像の質を高めることができる。
【００２３】
本願発明のその他の特徴および利点については、以下に行う発明の実施の形態の説明から、より明らかになるであろう。
【００２４】
【発明の実施の形態】
以下、本願発明の好ましい実施の形態について、図面を参照しつつ具体的に説明する。
【００２５】
図１〜図３は、本願発明の一実施形態を示している。図１に示された液晶表示装置Ａは、フロントライト方式の反射型液晶表示装置であり、液晶パネル１と、照明装置Ｂとを備えて構成されている。照明装置Ｂは、導光板２と２つの光源３とを備えて構成されている。
【００２６】
導光板２は、略矩形の平板状を有する透明度の高い合成樹脂からなる透光部材２０を含んで構成されている。この透光部材２０は、厚み方向に間隔を隔てた表面２０ａおよび裏面２０ｂと、図２のｘ方向に延びる一対の第１の側面２２ａ，２２ｂと、ｘ方向に直交するｙ方向に延びる第２および第３の側面２２ｃ，２２ｄとを有している。透光部材２０の上記した複数の面は、透光部材２０の内部において所定の入射角で入射してくる光を全反射できるようにいずれも滑らかな面（鏡面）に仕上げられている。
【００２７】
透光部材２０の裏面２０ｂは、平面状であり、後述するように、この裏面２０ｂの大部分は、透光部材２０内を進行する光を液晶パネル１に向けて出射させるための光出射面２９となっている。透光部材２０の表面２０ａは、ｙ方向に断面一様に延びる複数の凸部２１が設けられた凹凸面とされている。各凸部２１は、裏面２０ｂに対して傾斜した第１および第２の傾斜面２１ａ，２１ｂを有している。第１の傾斜面２１ａは、第２の側面２２ｃから第３の側面２２ｄに向かう光を受けたときに、この光を裏面２０ｂに対して小さな入射角で入射させるように反射するための面であり、第２の側面２２ｃ寄り部分よりも第３の側面２２ｄ寄りの部分の方が裏面２０ｂに接近するように傾斜した平面状である。第２の傾斜面２１ｂは、第２の側面２２ｃから第３の側面２２ｄに向けて進行する光を受けたときに、この光をなるべく多く全反射して導光板２の外部に漏れないようにするための面であり、第１の傾斜面２１ａとは反対向きに傾斜した平面状である。
【００２８】
第１の側面２２ａ，２２ｂのうち、第２の側面２２ｃの近傍部分には、切欠部２３が形成されており、光源３から導光板２内への光の入射を行なわせるための光入射面部２４が形成されている。この光入射面部２４は、この光入射面部２４と第２の側面２２ｃとの間の角度θが鋭角となるように第２の側面２２ｃに対して傾斜している。角度θは、たとえば８０〜８４°程度とされているが、むろんこの角度には限定されない。光入射面部２４は、平面状である。ただし、これに代えて、光入射面部２４を曲面状に形成することもできる。
【００２９】
光源３としては、ＬＥＤ光源が用いられており、より具体的には、ＬＥＤベアチップをそのまま光源として用いたもの、あるいはＬＥＤベアチップを透光性を有する樹脂を用いてチップ状に樹脂パッケージしたものが用いられている。各光源３は、その発光面３０が光入射面部２４と平行または略平行に対面する姿勢に設けられている。
【００３０】
導光板２の第２の側面２２ｃには、Ｖ字状をなす２つの壁面２５ａ，２５ｂを形成する複数の凹部２５がｙ方向に適当な間隔で設けられている。複数の凹部２５の間隔は、等間隔および不等間隔のいずれであってもかまわない。複数の凹部２５のそれぞれは、次に述べるような構成となっている。
【００３１】
まず、図２の符号Ｚｂで示す領域の複数の凹部２５の構成を説明する。これら複数の凹部２５は、図３に示すように、第１の側面２２ｂ寄りの光源３（３ｂ）から遠ざかるほど、すなわち導光板２のｙ方向中心の中心線Ｃに近づくほど、それらの深さｄ１〜ｄ５が徐々に深くなるように形成されている。図３には、説明の便宜のために凹部２５が５つしか示されていないが、凹部２５の具体的な数がこれに限定されないことは勿論である。
【００３２】
光源３（３ｂ）から発せられた光は、各凹部２５の壁面２５ａ，２５ｂのうち、第１の側面２２ｂ寄りの壁面２５ｂによって受けられる。これら複数の壁面２５ｂのｙ方向に対する傾斜角β１〜β５（この傾斜角β１〜β５は、ｙ方向に対して鋭角となる傾斜角である）は、光源３（３ｂ）から光を受けたときに、この光をｘ方向またはこれに略平行な方向に全反射可能な角度であり、中心線Ｃに近づくほど徐々に大きくなっている。これらの傾斜角β１〜β５の具体的な数値は、光源３の位置と各凹部２５の位置とが判明していれば、計算により簡単に求めることが可能である。
【００３３】
複数の壁面２５ａのｙ方向に対する傾斜角α（この傾斜角αも、ｙ方向に対して鋭角となる傾斜角である）については、各所同一とされている。これは、壁面２５ａは第１の側面２２ａ寄りの光源３（３ａ）からの光を主に受けることとなるものの、領域Ｚｂに位置する壁面２５ａが光源３（３ａ）から受ける光の量は少なく、光出射面２９からの出射光量の均一化を図る観点からすれば、壁面２５ａが光源３（３ａ）から受ける光については、さほど考慮を払う必要が無いからである。ただし、本願発明においては、本実施形態とは異なり、領域Ｚｂに位置する複数の壁面２５ａの傾斜角αを各所相違させてもかまわない。
【００３４】
図２の符号Ｚａで示す領域の複数の凹部２５については、図３を参照して説明した領域Ｚｂの複数の凹部２５に対して、中心線Ｃを中心とする線対称な形状となっている。したがって、領域Ｚａの複数の凹部２５は、領域Ｚｂの複数の凹部２５と同様に、中心線Ｃに近づくほど、それらの深さが深くなっている。光源３（３ａ）から発せられる光は、凹部２５の壁面２５ａによって受けられるため、領域Ｚａにおいては、複数の壁面２５ａのｙ方向に対する傾斜角αは、中心線Ｃに近づくほど徐々に大きくなっている。これに対し、領域Ｚａの複数の壁面２５ｂのｙ方向に対する傾斜角βは、各所同一となっている。
【００３５】
図面には示していないが、透光部材２０の第３の側面２２ｄや、第１の側面２２ａ，２２ｂのうちの光入射面部２４を除く領域などには、アルミニウムの蒸着膜あるいは白色塗膜などからなる光反射率が高い光反射層が設けられている。このような構成によれば、透光部材２０内に進入した光の多くがそれらの部分から外部に漏れないようにすることができる。
【００３６】
液晶パネル１としては、従来既知の構造のものを用いることができ、たとえば次のような構成を有している。すなわち、図１によく表われているように、液晶パネル１は、ガラス製または樹脂製の一対の基板１０ａ，１０ｂ間に液晶１１を封入したものであり、それら一対の基板１０ａ，１０ｂの各内面には、複数の電極１４ａ，１４ｂや配向膜１３ａ，１３ｂが設けられている。基板１０ａの正面には、偏光板１６ａが設けられている。駆動方式としては、単純マトリクス方式（パッシブ駆動方式）が採用されており、複数の電極１４ａは水平電極（走査電極）に相当し、同図の左右方向に延び、かつ紙面と直交する方向に等間隔で平行に並んでいる。複数の電極１４ｂは、垂直電極（信号電極）に相当し、紙面と直交する方向に延び、かつ図面の左右方向に等間隔で平行に並んでいる。液晶１１は、それら２種類の電極１４ａ，１４ｂが互いに交差して重なり合った部分において電圧印加がなされるように構成されており、この部分がドット状の画素となる。むろん、本願発明においては、液晶パネルの駆動方式として、アクティブ駆動方式を採用することもできる。
【００３７】
基板１０ａは透明基板とされているとともに、各電極１４ａはＩＴＯ膜などからなる透明電極とされている。これに対し、各電極１４ｂは、光の反射が可能な金属製の反射電極とされている。この液晶パネル１においては、その正面からこの液晶パネル１に向けて進行してきた光が偏光板１６ａ、基板１０ａ、および液晶１１を透過すると、複数の電極１４ｂによって液晶パネル１の正面に向けて反射されるようになっている。むろん、本願発明においては、このような反射電極を用いる構成に代えて、液晶パネル１の背面部に反射板を設けた構成とすることもできる。液晶パネルとしては、モノクロ表示用のものに代えて、カラー表示用のものを用いることもできる。
【００３８】
次に、上記構成の液晶表示装置Ａの作用について説明する。
【００３９】
図２において、２つの光源３を点灯駆動させると、各光源３から発せられた光は、各光入射面部２４を介して導光板２内に進入し、第２の側面２２ｃに向けて進行する。これらの光は、複数の凹部２５の壁面２５ａまたは壁面２５ｂによって全反射される。このことにより、上記光を第３の側面２２ｄに向けて効率良く進行させていくことができる。図１に示すように、第３の側面２２ｄに向けて光が進行する場合、表面２０ａの第２の傾斜面２１ｂや裏面２０ｂに対して一定の入射角以上で入射した光は、それらの面によって全反射される。したがって、このような全反射を繰り返させることにより、導光板２の内部の全域に光を順次進行させていくことができる。一方、表面２０ａの第１の傾斜面２１ａによって全反射される光は、その進行方向が急激に変化し、裏面２０ｂに対して全反射臨界角よりも小さな入射角で入射する可能性が高い。したがって、裏面２０ｂは光出射面２９としての役割を果たし、この面から多くの光が下向きに出射して液晶パネル１に照射される。液晶パネル１に照射された光は、液晶パネル１の各電極１４ｂによって液晶パネル１の正面に向けて反射され、導光板２をその厚み方向に透過するために、この導光板２を介して液晶パネル１で表示される画像を目視することができる。
【００４０】
図３を参照して説明したとおり、領域Ｚｂの複数の凹部２５は、光源３（３ｂ）から遠いものほど、それらの深さｄ１〜ｄ５が深くなっている。したがって、光源３から遠い凹部２５であっても、その壁面２５ｂによって光源３（３ｂ）からの光を適切に受けることが可能となり、複数の凹部２５間において、壁面２５ｂの受光量およびその反射光量に大きな差を生じないようにすることができる。また、複数の凹部２５の壁面２５ｂは、光源３（３ｂ）から進行してきた光を、ｘ方向またはそれに略平行な方向に揃えて反射できるようになっている。領域Ｚａの各凹部２５の壁面２５ａが光源３（３ａ）から進行してきた光を受けて反射する場合においても、領域Ｚｂについて上述したのと同様に、その反射光量や反射方向を揃えることができる。その結果、ｙ方向における導光板２内の各所の光量分布に大きなバラツキを生じないようにして、導光板２の光出射面２９の各所における出射光量を均一化することができる。その結果、液晶パネル１の画像表示領域の照度を均一にすることができる。
【００４１】
図２を参照して説明したとおり、各光源３の発光面３０は、光入射面部２４と平行であるため、各光源３から発せられた光が光入射面部２４によって反射されにくくなる。したがって、導光板３内に進行する光の量を十分に確保することが可能となる。また、各光源３の発光面３０は、適当な角度だけ第２の側面２２ｃに対して傾いた状態で第２の側面２２ｃの方を向いている。このため、各光源３の正面に進行する光束密度の高い光を第２の側面２２ｃの各凹部２５に対して効率良く進行させることが可能となり、このようなことによっても照明効率を高めることが可能となる。
【００４２】
図４および図５は、本願発明の他の実施形態を示している。これらの図において、上記の実施形態と同一または類似の要素には、上記の実施形態と同一符号を付している。
【００４３】
図４に示す構成においては、複数の凹部２５の深さｄは、各所同一とされている。ただし、複数の凹部２５は、中心線Ｃに近いものほど、壁面２５ｂの傾斜角β１〜β５が大きくなる構成となっている。このような構成によれば、中心線Ｃに近い壁面２５ｂほど、光源３（３ｂ）から受ける光の量が少なくなることについては回避できないものの、複数の壁面２５ｂによってそれぞれ反射される光の進行方向を略平行に揃えることは可能である。したがって、本実施形態によっても、光の照射対象領域の照度を従来技術よりも均一にすることができる。このように、本願発明においては、複数の凹部の深さを同一しつつ、所定の壁面の傾斜角を光源からの距離に応じて徐々に変化させた構成にしてもかまわない。
【００４４】
図５に示す構成おいては、複数の凹部２５の２つの壁面２５ａ，２５ｂの傾斜角α，βは各所同一に揃えられている。ただし、複数の凹部２５の深さｄ１〜ｄ５は、中心線Ｃに近いものほど深くなっている。このような構成によれば、複数の壁面２５ｂによって反射される光の方向には多少のバラツキが生じるものの、複数の壁面２５ｂのそれぞれが光源３（３ｂ）から進行してきた光を第３の側面３３ｄに向けて反射する光量については、各所略同一となるように揃えることができる。したがって、本実施形態によっても、光の照射対象領域の照度を従来技術よりも均一にすることができる。このように、本願発明においては、複数の凹部の壁面の傾斜角については各所同一にしつつ、複数の凹部の深さのみを光源からの距離に応じて徐々に変化させた構成にしてもかまわない。
【００４５】
本願発明の内容は、上述の実施形態に限定されない。本願発明に係る照明装置および液晶表示装置の各部の具体的な構成は、種々に設計変更自在である。
【００４６】
本願発明に係る液晶表示装置は、フロントライト方式の反射型液晶表示装置に代えて、バックライト方式の透過型液晶表示装置として構成することもできる。バックライト方式とする場合には、光の出射がなされる導光板の光出射面を液晶パネルの背面部に対面させることにより、導光板の光出射面から液晶パネル内に進入した光がそのまま液晶パネルの正面に向けて透過するように構成すればよく、照明装置自体の基本的な構成に変更を加える必要はない。液晶パネルとしては、種々の構成のものを用いることが可能である。
【００４７】
本願発明に係る照明装置においては、光源の具体的な数は限定されず、たとえば１つの光源のみを用いた構成とすることもできる。この場合、たとえば図２に示した照明装置を導光板２の中心線Ｃに沿って分断したような構成にすればよい。また、光源の具体的な種類も限定されず、ＬＥＤ光源以外の光源を用いることもできる。本願発明でいうｘ，ｙ方向は、必ずしも直交している必要はなく、直角以外の交差角で互いに交差する方向とすることもできる。
【図面の簡単な説明】
【図１】本願発明に係る液晶表示装置の一実施形態を示す断面図である。
【図２】図１の平面図およびその一部拡大断面図である。
【図３】図２の要部拡大断面図である。
【図４】本願発明の他の実施形態を示す要部拡大断面図である。
【図５】本願発明の他の実施形態を示す要部拡大断面図である。
【図６】（ａ）は、従来技術の一例を示す概略側面断面図であり、（ｂ）は、（ａ）の平面図である。
【符号の説明】
Ａ  液晶表示装置
Ｂ  照明装置
１  液晶パネル
２  導光板
３  光源
２０  透光部材
２０ａ  表面
２０ｂ  裏面
２２ａ，２２ｂ  第１の側面
２２ｃ  第２の側面
２２ｄ  第３の側面
２４  光入射面部
２９  光出射面
【図１】
0003984015.tif 000002
【図２】
0003984015.tif 000003
【図３】
0003984015.tif 000004
【図４】
0003984015.tif 000005
【図５】
0003984015.tif 000006
【図６】
0003984015.tif 000007